(57)【特許請求の範囲】
【請求項１】
処理空気を通す直線状の多数の通路を全体に有し、可逆的な吸放湿機能を備えた静止型の除湿器を、入口端と出口端とが本体ケーシングの一側部側においてそれぞれ室内に開口し途中で往き側から戻り側に方向が反転する反転通風路の戻り側中にその通路が連通するように介在させ、この反転通風路の前記除湿器より入口端側には、当該反転通風路に入口端から前記除湿器の各通路を経て出口端へ向う空気流を形成する送風機を組込み、前記反転通風路の往き側には前記除湿器より下流側の前記戻り側に連通し、前記除湿器の通路を経て室外に連絡させ得る再生用通路を設け、この再生用通路の前記除湿器の前段部には、当該部を通過する空気を昇温する加熱手段を組込み、前記反転通風路の往き側と前記再生用通路との分岐部には、前記反転通風路の往き側の再生用通路への連通を開閉する切換ダンパを設けた静止型除湿装置。
【請求項２】
請求項１に記載の静止型除湿装置であって、送風機を本体ケーシングの室内側に臨む部分に組込んだ静止型除湿装置。
【請求項３】
請求項１又は請求項２のいずれかに記載の静止型除湿装置であって、本体ケーシングを建物の室内外を仕切る壁体に開けた開口部に室内側から室外側へ挿通して取付け得るように構成した静止型除湿装置。
【請求項４】
請求項１〜請求項３までのいずれかに記載の静止型除湿装置であって、除湿器を二分割構成にするとともに、それらを屏風状にくの字に配列させて反転通風路を横断させた静止型除湿装置。
【請求項５】
請求項１〜請求項４までのいずれかに記載の静止型除湿装置であって、反転通風路の往き側端部と再生用通路の室外に連絡する室外側連絡部とを連通させ、当該部に前記往き側を閉止し再生用通路を開放し、前記往き側を開放し再生用通路を閉止し、かつ前記往き側と再生用通路のいずれも開放することができる切換ダンパを設けた静止型除湿装置。
【請求項６】
請求項５に記載の静止型除湿装置であって、反転通風路の往き側の再生用通路への連通を開閉する切換ダンパの開放によって、反転通風路の出口端側を閉止する閉止構造を備えた静止型除湿装置。
【請求項７】
請求項５又は請求項６のいずれかに記載の静止型除湿装置であって、反転通風路の往き側の再生用通路への連通を開閉する切換ダンパを風圧により開閉するバネ付勢式として構成した静止型除湿装置。
【発明の詳細な説明】
【０００１】
【発明の属する技術分野】
本発明は、静止型の除湿器を使った静止型除湿装置に関するものである。
【０００２】
【従来の技術】
上記この種の装置としては、例えば浴室を乾燥雰囲気にして衣類等の乾燥室として利用できるようにする乾燥装置が知られており、除湿器が回転するものとしないものとに大別できる。前者は、例えば特開平８―３５６９６号公報や実開平６―１０７８２号公報及び特開平７―１８０９５６号公報に示されているように、可逆的な吸湿と放湿とが可能な除湿ロータを除湿器として使ったものである。後者は、例えば特開平５―１６４３５９号公報や、特開昭６３―２８７５３２号公報並びに特開平１―２８７５３２号公報に示されているように、可逆的な吸湿と放湿とが可能な静止型の除湿器を使ったものである。
【０００３】
除湿ロータによる乾燥装置は、連続的な除湿処理が可能なものの、回転型のため通風路の基本的な断面形状は円形になり、装置の形状に対する自由度が小さくなり勝ちである。従って、建物の室内外を仕切る壁体に開けた標準的な寸法の換気開口部を使って取付けることが困難であり、面倒な取付工事が必要である。また、回転する除湿ロータへ気流を送り込む部分の動シールが必要であるうえ、回転機構部分の構成も結構複雑になるため、高価な装置となる。一方、静止型の除湿器によるものは、除湿器が動かない構成であるため、動シールや回転機構部分が不要で簡素な構成を採ることができ製造も比較的容易である。
【０００４】
除湿器自体は、回転型も静止型もシリカゲル等の吸湿剤を付着させたコルゲート材やハニカム材を巻成形して円柱状に構成したり、積層して六面体のブロックとして構成したりしている。こうした構成の除湿器の通路に処理空気を通せば、除湿され乾燥空気が得られる。また、吸湿した除湿器の通路に加熱した空気を通せば、除湿器は放湿され、再生されて再び除湿機能を発揮する。
【０００５】
特開昭６３―２８７５３２号公報に示された静止型の除湿器による除湿技術は、除湿器に室内の空気を通した後、再び室内へ戻す除湿過程と、室内又は室外の空気を加熱した後に除湿器に通し、室外へ排気する再生過程とを交互に繰り返すようにしたものである。この技術を応用した乾燥装置は、図８に示すように静止型の除湿器１０１が室内空気を循環させる通風路１０２中に通風可能に設けられ、通風路１０２に設けられたダンパ１０３を切換えて除湿・再生（換気）を交互に繰り返すように構成されている。除湿器１０１には除湿過程においても再生過程においても同方向の空気流が流れ込み、除湿器１０１の上流側には再生過程で空気流を加熱するヒーター１０４が設けられている。
【０００６】
【発明が解決しようとする課題】
上記のような従来の静止型の除湿器１０１を使った乾燥装置ないしは除湿装置は、除湿器１０１自体の除湿機能を十分に引き出せず、性能に不満が残るものであった。即ち、この種の除湿器１０１の吸湿能力は温度に影響され、温度が低い程吸湿能力が高い特性を有するが、除湿過程と再生過程での除湿器１０１を流れる気流の向きが同一方向であるため、再生過程から除湿過程へ移行する際には、いつも再生過程で高温になった側から気流が流れ込むことになり、除湿器１０１の特性を生かし切れない。
【０００７】
また、乾燥装置には従来の技術においても触れたように再生過程を行なう構成を利用して換気も行ない得るようにしたものも多いが、上記した従来の静止型の乾燥装置では、換気運転においても除湿器１０１を介して室内空気を排出することになるため、小風量の換気しかできず、大風量での換気を必要とする場合には対応することができないものである。さらに、除湿機能を発揮するには結構大きな容積の除湿器１０１が必要なため、装置も大きくなり建物の室内外を仕切る壁体に開けた標準的な寸法（１５０ｍｍ×２００ｍｍ）の換気開口部を使って取付けることができなかった。
【０００８】
本発明は上記した従来の問題点を解消するためになされたもので、その課題とするところは、静止型の除湿器を用いたコンパクトで取付性の良い静止型除湿装置を得ることであり、静止型の除湿器の除湿機能をより良く引き出すことができる静止型除湿装置を得ることであり、その装置の機能の向上を図ることである。
【０００９】
【課題を解決するための手段】
前記課題を達成するために請求項１の発明は、処理空気を通す直線状の多数の通路を全体に有し、可逆的な吸放湿機能を備えた静止型の除湿器を、入口端と出口端とが本体ケーシングの一側部側においてそれぞれ室内に開口し途中で往き側から戻り側に方向が反転する反転通風路の戻り側中にその通路が連通するように介在させ、反転通風路の除湿器より入口端側には、当該反転通風路に入口端から除湿器の各通路を経て出口端へ向う空気流を形成する送風機を組込み、反転通風路の往き側には除湿器より下流側の戻り側に連通し、除湿器の通路を経て室外に連絡させ得る再生用通路を設け、この再生用通路の除湿器の前段部には、当該部を通過する空気を昇温する加熱手段を組込み、反転通風路の往き側と再生用通路との分岐部には、反転通風路の往き側の再生用通路への連通を開閉する切換ダンパを設ける手段を採用する。
【００１０】
前記課題を達成するために請求項２の発明は、請求項１に係る前記手段における送風機を本体ケーシングの室内側に臨む部分に組込む手段を採用する。
【００１１】
前記課題を達成するために請求項３の発明は、請求項１又は請求項２のいずれかに係る前記手段における本体ケーシングを、建物の室内外を仕切る壁体に開けた開口部に室内側から室外側へ挿通して取付け得るように構成する手段を採用する。
【００１２】
前記課題を達成するために請求項４の発明は、請求項１〜請求項３までのいずれかに係る前記手段における除湿器を、二分割構成にするとともに、それらを屏風状にくの字に配列させて反転通風路を横断させる手段を採用する。
【００１３】
前記課題を達成するために請求項５の発明は、請求項１〜請求項４までのいずれかに係る前記手段における反転通風路の往き側端部と再生用通路の室外に連絡する室外側連絡部とを連通させ、当該部に往き側を閉止し再生用通路を開放し、往き側を開放し再生用通路を閉止し、かつ往き側と再生用通路のいずれも開放することができる切換ダンパを設ける手段を採用する。
【００１４】
前記課題を達成するために請求項６の発明は、請求項５に係る前記手段における反転通風路の往き側の再生用通路への連通を開閉する切換ダンパの開放によって、反転通風路の出口端側を閉止する閉止構造を備える手段を採用する。
【００１５】
前記課題を達成するために請求項７の発明は、請求項５又は請求項６のいずれかに係る前記手段における反転通風路の往き側の再生用通路への連通を開閉する切換ダンパを、風圧により開閉するバネ付勢式として構成する手段を採用する。
【００１６】
【発明の実施の形態】
次に本発明の実施の形態を図面に基づいて説明する。
実施の形態１．
図１〜図３によって示すこの実施の形態１の静止型除湿装置は、可逆的な吸放湿機能をもった図１に示すような構造の静止型の除湿器１を利用し、図３に示すようにして室内の除湿を行なうものである。この静止型除湿装置に適用される除湿器１は、図１に示すようにセラミックス等の無機質繊維にシリカゲル等の吸湿剤を重合反応を利用して、結合させたコルゲート構造材やハニカム構造材を積層して、処理空気を通す直線状の多数の通路２が全体にわたって分布する直方体状に構成したものである。各通路２は平行状でそれらの開口端は全て除湿器１の対向する二面に開口している。
【００１７】
上記した構成の除湿器１は、箱型筒状の本体ケーシング３内に構成された反転通風路４内に組込まれている。本体ケーシング３は、図３に示すように建物の室内外を仕切る壁体５に開けた標準的な寸法（１５０ｍｍ×２００ｍｍ）の換気開口部６の口枠に室内側から挿通させうる大きさに構成されている。反転通風路４は、本体ケーシング３内を上下に仕切る仕切板７により室内側から室外側の方向に続く往き側８と、室外側から室内側に続く戻り側９とに上下二層状に形成され、仕切板７に形成された連絡口１０により往き側８と戻り側９とが連絡している。反転通風路４の入口端１１は、本体ケーシング３の室内側となる膨出させた一側部側の上部において室内に開口し、エアーフィルター１２を通じて上層の往き側８の反転通風路４に通じている。また、出口端１３は本体ケーシング３の室内側となる正面において室内に向って開口し、戻り側９に通じている。
【００１８】
往き側８である上層の反転通風路４には、入口端１１に吸込側を臨ませ、往き側８の反転通風路４に吐出口を室外側に向けた送風機１４が組込まれている。この送風機１４のモーター１５は反転通風路４の戻り側９に配置され、送風機１４自体は本体ケーシング３の高さ寸法内に収まっている。この送風機１４の運転により、反転通風路４に入口端１１から往き側８を室外側へ向い、連絡口１０を通り反転して戻り側９を室内側に向い出口端１３に至る室内空気の循環気流が形成される。
【００１９】
戻り側９の反転通風路４の室外側部分は、断熱構造として内面に断熱材１６が張られていて、連絡口１０のすぐ下流部の戻り側９の反転通風路４に、除湿器１がその通路２に送風機１４による気流が通過できるように横断状に組込まれている。連絡口１０に対応する戻り側９の底部にはドレンを排出するドレン孔１７が設けられている。なお、除湿器１と反転通風路４の壁面との間は気密が保持されている。除湿器１と出口端１３との間の反転通風路４には、当該部を通過する気流を加熱する加熱手段としてのヒーター１８が組込まれている。さらにヒーター１８と出口端１３との間の反転通風路４には、多数の小孔が開けられ気流を均一化するための均一板１９が介在されている。
【００２０】
送風機１４の吐出口の臨む反転通風路４の往き側８は、均一板１９より下流側の戻り側９の反転通風路４に連絡口２０により連通し、連絡口２０から除湿器１の通路２を経て反転通風路４の連絡口１０を通り、本体ケーシング３の背面に開口した室外吹出口２１に至る再生用通路２２が形成されている。再生用通路２２の室外吹出口２１は反転通風路４の往き側８の延長上に形成され、開閉ダンパ２３により開閉可能に構成されている。反転通風路４の往き側８の再生用通路２２への分岐部である連絡口２０には、この連絡口２０を開閉し、開放時には往き側８の反転通風路４側に位置する切換ダンパ２４が設けられている。
【００２１】
この静止型除湿装置は、図３に示すように例えば浴室２５等の室内外を仕切る壁体５に開けた標準的な寸法の換気開口部６の口枠に室内側から挿通させ、通常の換気扇と同様の仕方で容易に取付けることができる。浴室２５側には反転通風路４の入口端１１と出口端１３及び送風機１４が、室外側には再生用通路２２の室外吹出口２１がそれぞれ臨むことになり、室内外の突出部分の嵩も小さく建物の外観性を損なうことも少ない。そして、開閉ダンパ２３と切換ダンパ２４を切換え除湿過程と再生過程とを交互に繰り返えさせることにより除湿機能を果たさせることができる。除湿過程は、再生用通路２２を切換ダンパ２４の閉止と開閉ダンパ２３の閉止により閉鎖させておいて、浴室２５内の空気を送風機１４により吸込み、反転通風路４の往き側８から連絡口１０を通り下層の戻り側９において除湿器１に通過させて除湿して出口端１３から浴室２５内へ戻す過程である。再生過程は、切換ダンパ２４を開放させ、開閉ダンパ２３を開放させて、反転通風路４を閉鎖して送風機１４により吸込んだ室内の空気を連絡口２０から再生用通路２２を経てヒーター１８で１４０℃程度に加熱した後、除湿器１に除湿時とは反対方向から通過させて室外吹出口２１から室外へ排出する過程である。ヒーター１８部分の反転通風路４は断熱構造となっているので周囲への放熱は少なく加熱効率は良い。
【００２２】
除湿過程と再生過程とを交互に繰り返えさせる除湿運転においては、運転開始時には必ず再生用通路２２の開放による除湿器１の再生から始まるように制御される。こうすることにより停止状態で吸湿し、除湿能力の低下している除湿器１の状態から除湿運転をスタートすることがなく、除湿機能が安定することになる。また、停止状態で吸湿とともに臭気物質も吸着している除湿器１の臭気を再生過程による排気により予め室外へ放出させることもでき、使用感も向上する。
【００２３】
この実施の形態１の静止型除湿装置の特徴の一つは、除湿過程と再生過程での除湿器１への室内の空気の通過方向を反対にしたことである。この種の除湿器１の吸湿能力は温度に影響され、温度が低い程吸湿能力が高い特性を有するが、除湿過程と再生過程での除湿器１を流れる気流の向きが同一方向であると、再生過程から除湿過程へ移行する際には、いつも再生過程で高温になった側から除湿過程での空気流が流れ込むことになり、除湿器１の上記した特性を生かし切れない。これに対して、除湿過程と再生過程での除湿器１への室内の空気の通過方向を反対向き、即ち対向流的にすると、再生過程を経た除湿器１の除湿過程での流入側の温度の高温化を防止することができ、除湿器１の除湿性能を引き出すことができ、エネルギー効率を上げることができる。
【００２４】
除湿過程の時間は再生過程の時間より若干短く設定され、気流の方向の反転は、切換ダンパ２４の切換えと開閉ダンパ２３の開閉による風路の切換えにより行なわれる。再生用通路２２を開放した場合には、連絡口２０から反転通風路４の戻り側９に流入した浴室２５内の空気の一部は、戻り側９の方をとおり出口端１３から浴室２５内に吹出され、他の多くは均一板１９を通過してヒーター１８で加熱された後、除湿器１を通過して室外吹出口２１を経て室外へ排気される。再生用通路２２から浴室２５へ戻される空気は、さほど多くはないが浴室２５内に循環流を形成する。従って、再生過程でも浴室２５内の乾燥が或程度はなされることになる。
【００２５】
浴室２５内に衣類等の被乾燥物を吊してこれらを乾燥させる場合、より乾燥の度合いの高い乾燥雰囲気にする方が乾燥時間は短くなる。しかし、被乾燥物から奪い取った水分を被乾燥物から速やかに引き離して排除することも乾燥時間の短縮に繋がる重要な要素でもある。この静止型除湿装置では再生過程でも上述のように一部の空気が循環し、また、排気により剥ぎ取った水分の屋外への排出が行なわれるので、被乾燥物からの水分の引き離しが速やかに行なわれ、乾燥時間が短縮する。
【００２６】
この実施の形態１の静止型除湿装置によれば、除湿器１の機能性を高めうるばかりでなく、戻り側９の反転通風路４が断熱構造になっているので再生過程で使うヒーター１８を使い、暖房を行なうこともできる。即ち、除湿過程と同じ方向の気流を反転通風路４に形成し、ヒーター１８を動作させれば暖気の室内への吹出しによる暖房を実施することができる。この時、再生過程で使うヒーター１８は除湿器１の下流側に位置することになるので、加熱した気流が除湿器１を通過しないので、除湿器１に熱を奪われることもなく、その寿命を短くしたりすることもないうえ、前述したような理由により除湿過程へ円滑に移行することができる。
【００２７】
また、上述のように再生過程では、室内の空気を排気するので室内の換気も実施されるが、除湿器１を通過させるため小風量の換気しか期待できず、大風量での換気が必要な場合には対応できない。この静止型除湿装置では、切換ダンパ２４を閉止位置にし、室外吹出口２１を開放させて送風機１４を運転させることにより、送風機１４から吹出される室内の空気を反転通風路４の往き側８を使って室外吹出口２１から室外へ排気することができる。反転通風路４の往き側８と室外吹出口２１とは直線上で連絡しているため、圧力損失の少ない大風量での換気が実現する。
【００２８】
構成上においては、送風機１４が室内側に組込まれていて、モーター１５の張出しを反転通風路４の戻り側９に配置することにより、送風機１４とモーター１５とにより規制される上下方向の寸法が大きく採れ、標準的な寸法の換気開口部６の口枠に室内側から挿通させ取付け得る程のコンパクト化が可能である。送風機１４を室外側に配置して除湿器１を通過させる気流を対向流とするには、送風機１４の吸込通路を長くとらなくてはならないうえ、再生用通路２２については一旦、除湿器１を迂回させてから除湿器１を通過させる経路としなくてはならず、除湿や再生の際の気流の反転が多くなり、圧力損失が増大するため、装置全体を大きく構成するか、送風機１４の能力を高く設定する必要がある。この点でも送風機１４を室内側に組込むことの意義は大きい。
【００２９】
実施の形態２．
図４，５，６はこの実施の形態２の静止型除湿装置を示したものである。この静止型除湿装置は実施の形態１で示した静止型除湿装置のコンパクト化を除湿器１の構成により推進したものであり、除湿器１に係る構成以外は実施の形態１のものと同じである。従って、実施の形態１のものと同じ部分については、実施の形態１のものと同じ符号を用い、それらについての説明は省略する。
【００３０】
実施の形態１の図１に示したような通路２に直交する横方向寸法が、通路２に平行な縦方向寸法より長い六面体の除湿器１は、その縦、横、高さの寸法に応じた組込み部分の寸法が必要である。この実施の形態２の除湿器１は、図１の除湿器１を縦方向又は高さ方向で二分割に構成し、それらを屏風状に室外側に開脚するようなくの字に配列させて反転通風路４の戻り側９を横断させたものである。この構成を採用することにより、除湿器１の開脚部分に連絡口１０を構成でき、幅方向又は高さ方向や長さ方向の寸法を小さくすることができる。除湿器１の吸湿・放湿機能も縦方向で二分割に構成した場合には、通路２の反転通風路４に臨む面積が増すため向上するうえ、通路２の長さも短くなるため圧力損失も小さくなる。再生用通路２２の室外吹出口２１の開閉ダンパ２３については、図５に示すように反転通風路４の連絡口１０の手前に設けた切換ダンパ２６に置換することができる。
【００３１】
この切換ダンパ２６は、反転通風路４の往き側８を図５におけるＡ位置で閉止して再生用通路２２を開放し、連絡口１０を図５におけるＢ位置で開放して再生用通路２２を閉止し、かつ図５におけるＣ位置で反転通風路４と再生用通路２２のいずれも開放することができる構成である。Ａ位置に切換ダンパ２６を切換えれば再生過程が実施でき、Ｂ位置に切換ダンパ２６を切換えれば除湿過程が実施でき、Ｃ位置に切換ダンパ２６を切換えれば大風量での換気が実施できる。そして、再生用通路２２への分岐部の切換ダンパ２４については、図６に示すような通常はコイルバネ２７の付勢により閉じていて、コイルバネ２７の付勢に勝る風圧が作用すると開放するバネ付勢式の切換ダンパにすることもできる。
【００３２】
即ち、切換ダンパ２６をＡ位置に切換えると、往き側８の内圧が上昇し再生用通路２２の連絡口２０を閉止していた切換ダンパ２４のコイルバネ２７の付勢力に勝ることになり、切換ダンパ２４が自動的に開放され再生用通路２２が開放されることになり、切換ダンパ２４に関する構成の簡素化を推進することができる。これ以外の機能及び利点は実施の形態１のものと同じである。
【００３３】
実施の形態３．
図７はこの実施の形態３の静止型除湿装置を示したものである。この静止型除湿装置は、実施の形態１，２で示した静止型除湿装置の除湿器１の再生機能を向上させるための工夫を講じたものであり、基本的な構成は実施の形態１，２のものと同じである。従って、実施の形態１，２のものと同じ部分については、実施の形態１，２のものと同じ符号を用い、それらについての説明は省略する。
【００３４】
実施の形態１，２で示した再生用通路２２を開放させる切換ダンパ２４は、開放状態でも切換ダンパ２４が反転通風路４の出口端１３側の戻り側９を閉止することはなく、隙間があり再生過程においてもこの隙間をとおり出口端１３から浴室２５内に室内空気が吹出される。従って、除湿器１へは送風機１４による風量の全部が送風されるわけではない。除湿対象となる部屋が、極めて高湿度になり、除湿器１の吸着量が多いような場合には、除湿器１の再生を効果的に行なう必要がある。そこで、この実施の形態３の静止型除湿装置では、切換ダンパ２４の開放によって、反転通風路４の出口端１３側を切換ダンパ２４とによりほぼ全閉する閉止構造２８を設け、除湿器１の再生に供する風量を多くし、再生機能を高めている。これにより、除湿器１の吸着量が多いような場合にも対応できる静止型除湿装置が得られる。これ以外の構成及び機能は実施の形態１，２のものと同じである。
【００３５】
【発明の効果】
以上説明したとおり請求項１の発明によれば、静止型の除湿器の除湿機能をより良く引き出すことができるコンパクトで取付性の良い静止型除湿装置が得られる。
【００３６】
請求項２の発明によれば、請求項１に係る前記効果とともに本体ケーシングのコンパクト化を推進できる。
【００３７】
請求項３の発明によれば、請求項１又は請求項２のいずれかに係る前記効果とともに取付性が向上する。
【００３８】
請求項４の発明によれば、請求項１〜請求項３までのいずれかに係る前記効果とともに、除湿器に関する圧力損失を軽減でき、小型化を推進できる。
【００３９】
請求項５の発明によれば、請求項１〜請求項４までのいずれかに係る前記効果とともに、静止型除湿装置の機能が向上する。
【００４０】
請求項６の発明によれば、請求項５に係る前記効果とともに除湿器に対する再生機能が向上する。
【００４１】
請求項７の発明によれば、請求項５又は請求項６のいずれかに係る前記効果とともに構成の簡素化を推進できる。
【図面の簡単な説明】
【図１】  実施の形態１の静止型除湿装置に使用する静止型の除湿器を示す斜視図である。
【図２】  実施の形態１の静止型除湿装置の縦断面図である。
【図３】  実施の形態１の静止型除湿装置の取付状態を示す説明図である。
【図４】  実施の形態２の静止型除湿装置の横断面図である。
【図５】  実施の形態２の静止型除湿装置の縦断面図である。
【図６】  実施の形態２の静止型除湿装置の切換ダンパの断面図である。
【図７】  実施の形態３の静止型除湿装置の縦断面図である。
【図８】  従来の乾燥装置の構成を示す断面図である。
【符号の説明】
１  除湿器、  ２  通路、  ３  本体ケーシング、  ４  反転通風路、  ６  換気開口部、  ８  往き側、  ９  戻り側、  １０  連絡口、  １１  入口端、１３  出口端、  １４  送風機、  １８  ヒーター、  ２０  連絡口、  ２１室外吹出口、  ２２  再生用通路、  ２３  開閉ダンパ、  ２４  切換ダンパ、  ２６  切換ダンパ、  ２７  コイルバネ、  ２８  閉止構造。
【図１】
0003906538.tif 000002
【図２】
0003906538.tif 000003
【図３】
0003906538.tif 000004
【図４】
0003906538.tif 000005
【図５】
0003906538.tif 000006
【図６】
0003906538.tif 000007
【図７】
0003906538.tif 000008
【図８】
0003906538.tif 000009